(57)【要約】      （修正有）【課題】垂直軸を中心に身体を回して向きを変えたり、ぐるりと回るような運動を可能にすると共に、人体を吊下げるための弾性部材が、顔に触れたり、鬱陶しさを使用者に与えることがない人体吊下げ式運動器具を提供する。【解決手段】人体吊下げ式運動器具は、人体１を吊下げるため人体１に装着する本体部２と、この本体部２に下端３ａを連結している吊下げ用の弾性部材３とを備えて形成する。弾性部材３の下端３ａを、本体部２の、人体１の背中に宛がう背当て部分２ａ１の左右方向の中央位置に連結する。この場合、弾性部材３の下端３ａを、垂直軸を中心に回転する連結用部材を備えた連結具を介して背当て部分２ａ１に連結するのが良い。【選択図】図１
0003230853.tif 000002
【実用新案登録請求の範囲】
【請求項１】
人体を吊下げるため人体に装着される本体部と、この本体部に下端が連結されている吊下げ用の弾性部材とを備えて形成されている人体吊下げ式運動器具であって、上記の弾性部材の下端が、上記本体部の、人体の背中に宛がわれる背当て部分の左右方向の中央位置に連結されていることを特徴とする人体吊下げ式運動器具。
【請求項２】
請求項１記載の人体吊下げ式運動器具であって、弾性部材の下端が、垂直軸を中心に回転する連結用部材を備えた連結具を介して背当て部分に連結されていることを特徴とする人体吊下げ式運動器具。
【請求項３】
請求項２記載の人体吊下げ式運動器具であって、連結具が、連結用部材との接触箇所に摩擦を低減する部材を備えて形成されていることを特徴とする人体吊下げ式運動器具。
【考案の詳細な説明】
【技術分野】
【０００１】
本考案は、人体吊下げ式運動器具に関し、更に詳しくは身体の機能回復や運動のために使用する人体吊下げ式運動器具に関するものである。
【背景技術】
【０００２】
従来、この種の器具としては、例えば特許文献１に記載されているものがある。
【０００３】
この従来品は、身体に装着するベスト状の装着具を備え、この装着具の両肩部に弾性部材が取り付けられている。弾性部材の上端は、フレームの接合器具に取り付けられ、弾性部材を介して人体を吊り下げ可能に形成されている。そして、フレームの高さや弾性部材の長さは、弾性部材が所定の長さだけ伸びて安定するよう、使用目的に合わせて高さや長さを選定可能に形成されている。
【０００４】
而して、従来品は、上記の通り、ベスト状の装着具の両肩部に、弾性部材が左右一対状に取り付けられていた。
【０００５】
そのため、従来品は、使用者が正面を向いた状態で、前後方向に歩行する動作は楽にできる反面、垂直軸（縦軸）を中心に身体を回して向きを変えたり、ぐるりと回るような動作はし難くい、という問題点があった。
その結果、従来品によると、使い勝手が悪く、身体機能の回復、改善といったリハビリ効果等を、十分に得られなかったものである。
【０００６】
また従来品は、使用者がベスト状の装着具を身に付けると、弾性部材が顔の両側に配置された。
そのため、従来品は、弾性部材が使用者に鬱陶しさを与え易く、また弾性部材が内側に撓むと顔に弾性部材が触れ易かった。
その結果、従来品は、使用者が気持ち良く、リハビリ運動等を行うことができない、という問題点があった。
【先行技術文献】
【特許文献】
【０００７】
【特許文献１】特開２００３−１０２６１号公報
【考案の概要】
【考案が解決しようとする課題】
【０００８】
本考案は、このような従来技術の問題点に鑑み、提案されたものである。
従って、本考案の解決しようとする技術的課題は、垂直軸を中心に身体を回して向きを変えたり、ぐるりと回るような運動を可能にし、リハビリ器具、また身体の鍛錬用器具としての機能を高めると共に、弾性部材が顔に触れたり、鬱陶しさを使用者に与えることがないよう形成した人体吊下げ式運動器具を提供することにある。
【課題を解決するための手段】
【０００９】
本考案は、上記の課題を解決するため、次のような技術的手段を採る。
即ち、本考案の人体吊下げ式運動器具は、図１等に示されるように、人体１を吊下げるため人体１に装着される本体部２と、この本体部２に下端３ａが連結されている吊下げ用の弾性部材３とを備えて形成されている人体吊下げ式運動器具であって、上記の弾性部材３の下端３ａが、上記本体部２の、人体１の背中に宛がわれる背当て部分２ａ１の左右方向の中央位置に連結されていることを特徴とする（請求項１）。
【００１０】
本考案の場合、本体部２は、人体１の胴部と共に、両脚１ａを保持する脚装着部分２ｂとで形成されるのが好ましいが、例えば臀部を包み込むように保持するシート材で形成されているのでも良い。またここで、弾性部材３としては、ゴムバンドやゴム紐等がある。弾性部材３の下端３ａの連結位置は、弾性部材３が背当て部分２ａ１の背面と擦れ合うことがないよう、本体部２の上部の中央位置に連結されているのが好ましいが、これに限定されるものではなく、例えば本体部２の上下方向の中央位置等でも良い。
【００１１】
また本考案は、図５に示されるように、弾性部材３の下端３ａが、垂直軸Ｌを中心に回転する連結用部材１０ａを備えた連結具１０を介して背当て部分２ａ１に連結されているのでも良い（請求項２）。
【００１２】
なぜなら、これによると、使用者が身体を回す際に、弾性部材３が捩れることを防止でき、その分、身体の向きを円滑に変えることができるからである。
【００１３】
またこの場合、連結具１０は、連結用部材１０ａとの接触箇所に摩擦を低減する部材１１を備えて形成されているのが好ましい（請求項３）。
【００１４】
なぜなら、これによると、連結用部材１０ａの摩耗を防止でき、耐久性を向上できるだけではなく、摺動時の異音の発生を抑えることができるからである。
【考案の効果】
【００１５】
本考案の人体吊下げ式運動器具は、このように弾性部材の下端が、本体部の、人体の背中に宛がわれる背当て部分の左右方向の中央位置に連結されている。
【００１６】
従って、本考案の場合は、使用者が身体を回して向きを変えたり、ぐるりと回るような運動が可能になる。
それ故、本考案によれば、その分、使い勝手が良くなり、リハビリ器具としての、また身体の鍛錬用、運動用器具としての機能を高めることができる、という実用上優れた効果を奏する。
【００１７】
また本考案は、人体を吊下げるための弾性部材が、使用者の背中側に配置されている。
従って、本考案の場合は、弾性部材が弛んでも、使用者の頬や耳などに弾性部材が触れることを防止できるから、これによると、弾性部材が使用者に与える鬱陶しさを一掃でき、気持ち良くリハビリ運動等を行うことができる。
【図面の簡単な説明】
【００１８】
【図１】本考案の人体吊下げ式運動器具の使用状態を示す背面図である。
【図２】同上器具の要部斜視図である。
【図３】同上器具の使用状態を示す正面図である。
【図４】同上器具の使用状態を示す斜視図である。
【図５】同上器具の他の実施形態を示す要部側面図である。
【考案を実施するための形態】
【００１９】
以下、本考案の好適な一実施形態を、添付図面に従って説明する。
【００２０】
本考案の器具は、図１等に示されるように、人体１を吊下げるため人体１に装着される本体部２と、この本体部２に下端３ａが連結されている吊下げ用の弾性部材３とを備えて形成されている。
【００２１】
上記の本体部２は、人体１の腰を中心とした上半身に装着される上側部分２ａと、両脚１ａの太腿に装着される脚装着部分２ｂとを備えて形成されている。上側部分２ａと脚装着部分２ｂは、この実施形態では帯状の連結部材２ｃを介して一体状に連結されている。帯状の連結部材２ｃは、脚１ａの動きに支障を与えることがないよう、この実施形態では上側部分２ａの後側の下端から外向き下り傾斜状に配置されている。
【００２２】
また上側部分２ａは、図３等に示されるように、人体１の前側で締め付けて連結できるよう、バンド４を横向きに備えて形成されている。このバンド４は、開放端の裏側を、上側部分２ａの片方の対応部分に鉤止め可能になるよう雌雄の面状ファスナー４ａを備えて形成されている。
【００２３】
また脚装着部分２ｂは、脚１ａに巻き付け可能になるよう、帯片状に形成されている。この脚装着部分２ｂは、その開放端同士を雌雄の面状ファスナー５で鉤止め可能に形成されている。
【００２４】
また本考案は、上記の弾性部材３の下端３ａが、上記本体部２の、人体１の背中に宛がわれる背当て部分２ａ１の左右方向の中央位置に連結されている。弾性部材３の下端３ａは、この実施形態では背当て部分２ａ１の上部の背面に設けられている金属製の取付部６に、カラビナ７を介して連結されている。弾性部材３は、この実施形態ではロープ状のゴム紐である。
【００２５】
また弾性部材３の上端３ｂは、滑車を利用した牽引装置８に連結されている。牽引装置８は、牽引操作用の紐８ａを備え、フレーム９の上部の、フレーム９の前後方向に沿って横架されているレール９ａに、スライド可能に取り付けられている。フレーム９は、この実施形態ではアルミ製の角材で方形の枠形に組み立てられている。
【００２６】
次に、この実施形態に係る本考案の使用例を説明する。
【００２７】
使用者は、先ず、本体部２の上側部分２ａを、人体１の腰を中心とした上半身に宛がい、人体１の前側でバンド４を締め付け、雌雄の面状ファスナー４ａで鉤止めして装着する。
【００２８】
次に、使用者は、脚装着部分２ｂを太腿に巻き付け、脚装着部分２ｂの開放端同士を雌雄の面状ファスナー５で鉤止めし、脚装着部分２ｂを太腿に装着する。この場合、使用者は、牽引装置８の紐８ａを操作し、使用者の体重の全量が接地する脚１ａに加わらないよう、換言すれば脚１ａに加わる体重を軽減して運動が容易になるよう吊下げ高さを調節する。
【００２９】
使用者は、この状態で、リハビリ等のため、その場で回ったり、或いは弾性部材３の牽引力に抗してぐるりと回るような運動を行うものである。この場合、この実施形態の本考案は、上記の通り、使用者の体重の全量が接地する脚１ａに加わることがないから、これによると使用者は体重を軽減でき、脚１ａに負担のない状態で各種の運動を行うことができる。
【００３０】
また本考案の器具は、上記の通り、弾性部材３の下端３ａが、本体部２の、人体１の背中に宛がわれる背当て部分２ａ１の左右方向の中央位置に連結されている。
【００３１】
従って、本考案の場合、弾性部材３は、使用者の頭の後側に配置されるから、弾性部材３が顔に触れることなく、使用者は身体を動かすことができる。
それ故、これによれば、使用者は気持ち良く運動できるから、使用頻度の向上を期待でき、商品価値の高いリハビリ用具、運動用具を提供できる。
【００３２】
以上の処において、上例では、牽引装置８がフレーム９に取り付けられているが、本考案は、これに限定されるものではなく、例えば部屋の天井等に取り付けられているのでも良い。またフレーム９は、キャスターを備え、移動が容易になるよう形成されているのでも良い。
【００３３】
また本考案は、図５に示されるように、弾性部材３の下端３ａが、垂直軸Ｌを中心に回転する連結用部材１０ａを備えた連結具１０を介して背当て部分２ａ１に連結されているのでも良い。この実施形態の場合、連結具１０は、連結用部材１０ａとの接触箇所に摩擦を低減する部材１１を備えて形成されている。摩擦を低減する部材１１としては、例えば滑り軸受や転がり軸受等がある。
【００３４】
更に、本考案は、使用者が垂直軸Ｌを中心に回って向きを変えたとき、その方向に円滑に歩いて行くことができるよう、牽引装置８を案内するレール９ａが、前後方向だけではなく、所定の角度をあけてフレーム９に複数設けられているのでも良い。またレール９ａは、進行方向に向かって上り傾斜状に設けられ、弾性部材３の牽引力に抗して歩く力を鍛えることができるよう形成されているのでも良い。
【符号の説明】
【００３５】
１      人体
２      本体部
２ａ    上側部分
２ｂ    脚装着部分
２ａ１  背当て部分
３      弾性部材
３ａ    下端
１０    連結具
１０ａ  連結用部材
１１    摩擦を低減する部材
Ｌ      垂直軸
【図１】
0003230853.tif 000003
【図２】
0003230853.tif 000004
【図３】
0003230853.tif 000005
【図４】
0003230853.tif 000006
【図５】
0003230853.tif 000007